(57)【特許請求の範囲】
【請求項１】
足場板を支持する足場板支持部材と、
ガイドレールに設けられた目板の頂面または前記ガイドレールの頂面に載せられ、前記足場板支持部材を支持する吊り部材と、
前記ガイドレールに対する前記足場板支持部材の水平方向への移動を規制する移動規制部材と
を備え、
前記移動規制部材は、前記ガイドレールの案内板を幅方向に挟むガイド部を有しているエレベーター昇降路足場装置。
【請求項２】
足場板を支持する足場板支持部材と、
ガイドレールに設けられた目板の頂面または前記ガイドレールの頂面に載せられ、前記足場板支持部材を支持する吊り部材と、
前記ガイドレールに対する前記足場板支持部材の水平方向への移動を規制する移動規制部材と
を備え、
前記移動規制部材は、蝶番と、前記蝶番に設けられた一対の爪部とを有し、
前記一対の爪部は、前記蝶番が変形することによって、前記ガイドレールを幅方向に挟む取付位置と、前記ガイドレールから取り外し可能となる解除位置との間で変位するエレベーター昇降路足場装置。
【請求項３】
足場板を支持する足場板支持部材と、
ガイドレールに設けられた目板の頂面または前記ガイドレールの頂面に載せられ、前記足場板支持部材を支持する吊り部材と、
前記ガイドレールに対する前記足場板支持部材の水平方向への移動を規制する移動規制部材と
を備え、
前記移動規制部材は、幅方向について前記ガイドレールの一方に対向する第１規制部と、前記第１規制部に設けられ、前記幅方向について前記ガイドレールの他方に対向する第２規制部とを有し、
前記第１規制部には、前記第２規制部が挿入される溝が形成され、
前記第２規制部には、前記第１規制部が挿入される溝が形成され、
前記第１規制部の溝に前記第２規制部が挿入され、前記第２規制部の溝に前記第１規制部が挿入されることによって、前記第２規制部が前記第１規制部に対して固定されるエレベーター昇降路足場装置。
【請求項４】
前記足場板支持部材は、前記ガイドレールの背面側に配置され前記ガイドレールの幅方向に延びる長尺部材を有し、
前記移動規制部材は、前記長尺部材に設けられ前記ガイドレールを幅方向に挟む請求項２または請求項３に記載のエレベーター昇降路足場装置。
【請求項５】
前記吊り部材は、前記足場板支持部材の高さ方向の位置が変更可能となるように前記足場板支持部材を支持する請求項１から請求項４までの何れか一項に記載のエレベーター昇降路足場装置。
【発明の詳細な説明】
【技術分野】
【０００１】
この発明は、昇降路に設置されるエレベーター昇降路足場装置に関する。
【背景技術】
【０００２】
従来、ガイドレールの背面に設けられる押え金具と、押え金具とともにガイドレールを挟むレールクリップと、押え金具に設けられた腕体と、腕体に支持される足場板とを備え、レールクリップがガイドレールに押し付けられることによって発生する摩擦力により、押え金具がガイドレールに支持され、足場板の昇降路における高さ方向の位置が維持されるエレベーター昇降路足場装置が知られている（例えば、特許文献１参照）。
【先行技術文献】
【特許文献】
【０００３】
【特許文献１】特開平７−２８５７５３号公報
【発明の概要】
【発明が解決しようとする課題】
【０００４】
しかしながら、押え金具が摩擦力によってガイドレールに支持されているので、摩擦力よりも大きな力が足場板に下方へ加えられた場合に足場板が下方へ移動してしまう。そこで、ガイドレールの目板にチェーンブロックを支持させて、チェーンブロックに足場板を支持させるエレベーター昇降路足場装置が考えられる。しかしながら、足場板をチェーンブロックに支持させた場合に、足場板が水平方向に移動して、足場板が振れてしまうおそれがあるという問題点があった。
【０００５】
この発明は、足場板が水平方向に移動することを規制することができるエレベーター昇降路足場装置を提供するものである。
【課題を解決するための手段】
【０００６】
この発明に係るエレベーター昇降路足場装置は、足場板を支持する足場板支持部材と、ガイドレールに設けられた目板の頂面またはガイドレールの頂面に載せられ、足場板支持部材を支持する吊り部材と、ガイドレールに対する足場板支持部材の水平方向への移動を規制する移動規制部材とを備え、移動規制部材は、ガイドレールの案内板を幅方向に挟むガイド部を有している。
【発明の効果】
【０００７】
この発明に係るエレベーター昇降路足場装置によれば、足場板を支持する足場板支持部材と、ガイドレールに設けられ、足場板支持部材を支持する吊り部材と、ガイドレールに対する足場板支持部材の水平方向への移動を規制する移動規制部材とを備えているので、足場板が水平方向に移動することを規制することができる。
【図面の簡単な説明】
【０００８】
【図１】この発明の実施の形態１に係るエレベーター昇降路足場装置を示す正面図である。
【図２】図１のエレベーター昇降路足場装置を示す平面図である。
【図３】図１の足場板および足場板支持部材を示す平面図である。
【図４】図１の足場板の長手方向端部を示す正面図である。
【図５】この発明の実施の形態２に係るエレベーター昇降路足場装置を示す正面図である。
【図６】この発明の実施の形態３に係るエレベーター昇降路足場装置の足場板、足場板支持部材および移動規制部材を示す平面図である。
【図７】図６のＶＩＩ−ＶＩＩ線に沿った矢視断面図である。
【図８】この発明の実施の形態４に係るエレベーター昇降路足場装置の足場板、足場板支持部材および移動規制部材を示す平面図である。
【図９】図８のＩＸ−ＩＸ線に沿った矢視断面図である。
【図１０】この発明の実施の形態５に係るエレベーター昇降路足場装置の移動規制部材がガイドレールに取り付けられている様子を示す正面図である。
【図１１】図１０の移動規制部材を示す平面図である。
【図１２】この発明の実施の形態６に係るエレベーター昇降路足場装置の移動規制部材を示す平面図である。
【図１３】図１２の移動規制部材が変形した状態を示す平面図である。
【図１４】この発明の実施の形態７に係るエレベーター昇降路足場装置の移動規制部材を示す分解斜視図である。
【図１５】図１４の移動規制部材が組み立てられた状態を示す図である。
【発明を実施するための形態】
【０００９】
実施の形態１．
図１はこの発明の実施の形態１に係るエレベーター昇降路足場装置を示す正面図、図２は図１のエレベーター昇降路足場装置を示す平面図である。図において、昇降路１には、一対のガイドレール２が昇降路１の幅方向に離れて配置されている。昇降路１の幅方向とは、乗場から昇降路１を視た場合の横幅方向、言い換えれば、間口方向である。
【００１０】
それぞれのガイドレール２は、昇降路１の高さ方向に沿って並べられた複数のガイドレール片２１を有している。高さ方向に並ぶ一対のガイドレール片２１の間には、目板３が固定されている。一対のガイドレール片２１が目板３に固定されることによって、一対のガイドレール片２１が互いに固定される。
【００１１】
この例では、ガイドレール２は、昇降路１を昇降するかごを高さ方向に案内する。つまり、ガイドレール２は、かご用ガイドレールとなっている。なお、ガイドレール２は、かご用ガイドレールに限らず、例えば、つり合いおもり用ガイドレールであってもよい。
【００１２】
ガイドレール２は、昇降路１の壁に対向する平板部２２と、平板部２２から他方のガイドレール２に向かって突出する案内板２３とを有している。目板３は、平板部２２の裏面にボルトおよびナットを用いて固定されている。平板部２２の裏面とは、平板部２２における昇降路１の壁に対向する面である。
【００１３】
エレベーター昇降路足場装置は、複数の足場板４と、足場板４を支持する足場板支持部材５と、一対のガイドレール２に設けられた目板３に載せられ、足場板支持部材５を支持する吊り部材６Ａと、足場板支持部材５に設けられ、ガイドレール２に対する足場板支持部材５の水平方向への移動を規制する移動規制部材７Ａとを備えている。
【００１４】
図３は図１の足場板４および足場板支持部材５を示す平面図である。足場板支持部材５は、ガイドレール２の背面側に配置されガイドレール２の幅方向に延び互いに平行に配置された一対の単管パイプ５１と、一対の単管パイプ５１の長手方向両端部に渡って設けられた一対の単管パイプ５２と、単管パイプ５１と単管パイプ５２とを接続する直交クランプ５３とを有している。一対の単管パイプ５１および一対の単管パイプ５２は、上方から視た場合にロ字形状に配置されている。単管パイプ５１は、長尺部材となっている。
【００１５】
図４は図１の足場板４の長手方向端部を示す正面図である。足場板４は、ガイドレール２の幅方向に延びる板本体４１と、板本体４１の長手方向両端部に設けられ、足場板支持部材５に上方から嵌められる爪部４２とを有している。爪部４２は単管パイプ５２に上方から載せられている。
【００１６】
図１および図２に示すように、吊り部材６Ａは、目板３の頂面に載せられる支持板６１と、支持板６１に取り付けられ、支持板６１とともにガイドレール２の平板部２２を厚さ方向に挟む一対のレールクリップ６２と、支持板６１に設けられる枠部６３と、枠部６３に支持される４個のチェーン６４とを有している。
【００１７】
支持板６１は、ガイドレール２の背面に面接触した状態で目板３の頂面に載せられている。支持板６１とレールクリップ６２がガイドレール２の平板部２２を挟むことによって、支持板６１がガイドレール２に固定される。レールクリップ６２は、支持板６１にボルトおよびナットを用いて固定される。一対のレールクリップ６２は、ガイドレール２を幅方向に挟んでいる。
【００１８】
枠部６３は、ガイドレール２の背面側に配置されガイドレール２の幅方向に延び互いに平行に配置された一対の単管パイプ６３１と、一対の単管パイプ６３１の長手方向両端部に渡って設けられた一対の単管パイプ６３２と、単管パイプ６３１と単管パイプ６３２とを接続する直交クランプ６３３とを有している。一対の単管パイプ６３１および一対の単管パイプ６３２は、上方から視た場合にロ字形状に配置されている。単管パイプ６３１は、支持板６１にボルトおよびナットを用いて固定されている。
【００１９】
それぞれのチェーン６４の上端部は、単管パイプ６３１の長手方向端部に接続されている。それぞれのチェーン６４の下端部は、単管パイプ５１の長手方向端部に接続されている。チェーン６４の高さ方向の寸法が変化することによって、足場板支持部材５の高さ方向の位置が変化する。言い換えれば、吊り部材６Ａは、足場板支持部材５の高さ方向の位置が変更可能となるように足場板支持部材５を支持する。
【００２０】
移動規制部材７Ａは、単管パイプ５１に取り付けられている。移動規制部材７Ａは、単管パイプ５１に固定された裏板部７１Ａと、裏板部７１Ａに取り付けられ、裏板部７１Ａとともにガイドレール２の平板部２２を厚さ方向に挟む一対のレールクリップ７２とを有している。裏板部７１Ａとレールクリップ７２とが平板部２２を厚さ方向に挟むので、移動規制部材７Ａがガイドレール２に対して厚さ方向に移動することが規制される。また、一対のレールクリップ７２は、ガイドレール２を幅方向に挟んでいる。これにより、移動規制部材７Ａがガイドレール２に対して幅方向に移動することが規制される。その結果、足場板支持部材５が水平方向に移動することが規制される。なお、裏板部７１Ａとレールクリップ７２とが平板部２２を厚さ方向に挟まない構成であってもよい。この場合であっても、一対の裏板部７１Ａが一対の裏板部７１Ａの背面に配置されているので、移動規制部材７Ａがガイドレール２に対して厚さ方向に移動することが規制される。
【００２１】
以上説明したように、この発明の実施の形態１に係るエレベーター昇降路足場装置によれば、足場板４を支持する足場板支持部材５と、ガイドレール２に設けられた目板３の頂面に載せられ、足場板支持部材５を支持する吊り部材６Ａと、ガイドレール２に対する足場板支持部材５の水平方向への移動を規制する移動規制部材７Ａとを備えているので、足場板４が水平方向に移動することを規制することができる。その結果、足場板４に乗った作業者は、保守点検作業を容易に行うことができる。また、目板３の頂面に吊り部材６Ａが載せられるので、足場板４が下方に移動することを防止することができる。
【００２２】
また、吊り部材６Ａは、足場板支持部材５の高さ方向の位置が変更可能となるように足場板支持部材５を支持するので、目板３に対して足場板４の高さ方向の位置を調節することができる。これにより、目板３の高さ方向の位置によらずに、足場板４の高さ位置を任意の位置に調節することができる。その結果、足場板４の高さ位置を、例えば、乗場床に合わせることができる。
【００２３】
また、足場板支持部材５は、ガイドレール２の背面側に配置されガイドレール２の幅方向に延びる単管パイプ５１を有し、移動規制部材７Ａは、単管パイプ５１に設けられガイドレール２を幅方向に挟むので、足場板４を足場板支持部材５から取り外した場合には、かごが足場板支持部材５の内側を通りながら昇降することができる。
【００２４】
実施の形態２．
図５はこの発明の実施の形態２に係るエレベーター昇降路足場装置を示す正面図である。エレベーター昇降路足場装置は、複数の足場板４と、足場板４を支持する足場板支持部材５と、一対のガイドレール２に設けられた目板３に載せられ、足場板支持部材５を支持する吊り部材６Ｂと、ガイドレール２に対する足場板支持部材５の水平方向への移動を規制する移動規制部材７Ａとを備えている。足場板４、足場板支持部材５、移動規制部材７Ａは、実施の形態１と同様である。
【００２５】
吊り部材６Ｂは、目板３の頂面に載せられた支持板６１と、支持板６１に取り付けられ、支持板６１とともにガイドレール２の平板部２２を厚さ方向に挟むレールクリップ６２と、支持板６１に設けられる枠部６３と、枠部６３に支持され、高さ方向に延びる４本の単管パイプ６５と、単管パイプ６５に設けられ、枠部６３に対して単管パイプ６５を固定するボルト６６とを有している。単管パイプ６５の上端部には、複数の貫通孔６５１が形成されている。複数の貫通孔６５１は、高さ方向に並べて配置されている。ボルト６６は、貫通孔６５１に挿入される。ボルト６６が挿入される貫通孔６５１を変更することによって、枠部６３に対する単管パイプ６５の高さ方向の位置が変更される。支持板６１、レールクリップ６２および枠部６３は、実施の形態１と同様である。
【００２６】
それぞれの単管パイプ６５の上端部は、単管パイプ６３１の長手方向端部に接続されている。それぞれの単管パイプ６５の下端部は、単管パイプ５１の長手方向端部に接続されている。枠部６３に対する単管パイプ６５の高さ方向の位置が変更されることによって、足場板支持部材５の高さ方向の位置が変化する。言い換えれば、吊り部材６Ｂは、足場板支持部材５の高さ方向の位置が変更可能となるように足場板支持部材５を支持する。その他の構成は、実施の形態１と同様である。
【００２７】
以上説明したように、この発明の実施の形態２に係るエレベーター昇降路足場装置によれば、吊り部材６Ｂは、足場板支持部材５の高さ方向の位置が変更可能となるように足場板支持部材５を支持するので、目板３に対して足場板４の高さ方向の位置を調節することができる。その結果、目板３の高さ方向の位置によらずに、足場板４の高さ位置を任意の位置に調節することができる。その結果、足場板４の高さ位置を、例えば、乗場床に合わせることができる。
【００２８】
実施の形態３．
図６はこの発明の実施の形態３に係るエレベーター昇降路足場装置の足場板、足場板支持部材および移動規制部材を示す平面図、図７は図６のＶＩＩ−ＶＩＩ線に沿った矢視断面図である。移動規制部材７Ｂは、単管パイプ５１に取り付けられている。移動規制部材７Ｂは、ガイドレール２の案内板２３を幅方向に挟むとともに、ガイドレール２における他方のガイドレール２を向く面に対向するガイド部７３と、ガイド部７３に設けられたねじ部７４と、ねじ部７４に嵌められるナット７５とを有している。
【００２９】
単管パイプ５１には、ねじ部７４が挿入される貫通孔５１１が形成されている。ねじ部７４が貫通孔５１１に挿入された状態で、ナット７５がねじ部７４に取り付けられることによって、移動規制部材７Ｂが足場板支持部材５に支持される。その他の構成は、実施の形態１または実施の形態２と同様である。
【００３０】
以上説明したように、この発明の実施の形態３に係るエレベーター昇降路足場装置によれば、移動規制部材７Ｂは、ガイドレール２を幅方向に挟むとともに、ガイドレール２における他方のガイドレール２を向く面に対向するので、ガイドレール２の背面側に配置する必要がなくなる。その結果、ガイドレール２の背面にレールブラケットが配置されている場合であっても、移動規制部材７Ｂを設置することができる。
【００３１】
実施の形態４．
図８はこの発明の実施の形態４に係るエレベーター昇降路足場装置の足場板、足場板支持部材および移動規制部材を示す平面図、図９は図８のＩＸ−ＩＸ線に沿った矢視断面図である。移動規制部材７Ｃは、単管パイプ５１に取り付けられている。移動規制部材７Ｃは、ガイドレール２を幅方向に挟む一対のボルト７６と、それぞれのボルト７６に取り付けられるナット７５とを有している。
【００３２】
それぞれの単管パイプ５１には、ボルト７６が挿入される一対の貫通孔５１１が形成されている。ボルト７６が貫通孔５１１に挿入された状態で、ナット７５がボルト７６に取り付けられることによって、移動規制部材７Ｃが足場板支持部材５に支持される。その他の構成は、実施の形態１または実施の形態２と同様である。
【００３３】
以上説明したように、この発明の実施の形態４に係るエレベーター昇降路足場装置によれば、移動規制部材７Ｃは、ガイドレール２の平板部２２を幅方向に挟む一対のボルト７６と、それぞれのボルト７６に取り付けられるナット７５とを有しているので、移動規制部材７Ｃを足場板支持部材５に簡単に取り付けることができる。
【００３４】
実施の形態５．
図１０はこの発明の実施の形態５に係るエレベーター昇降路足場装置の移動規制部材がガイドレールに取り付けられている様子を示す正面図、図１１は図１０の移動規制部材を示す平面図である。移動規制部材７Ｄの裏板部７１Ｂは、ガイドレール２の平板部２２の背面に設けられる裏板本体７１１と、ガイドレール２の平板部２２の幅方向一端部を挟む一端部挟み部７１２を有している。レールクリップ７２は、裏板本体７１１とともにガイドレール２の平板部２２の幅方向他端部を挟んでいる。一端部挟み部７１２とレールクリップ７２との間にガイドレールの平板部２２が配置されている。レールクリップ７２は、ボルト７６およびナット７５を用いて裏板部７１Ｂに取り付けられている。
【００３５】
裏板本体７１１には、レールクリップ７２を裏板部７１Ｂに取り付けるためのボルト７６が挿入される複数の長穴７１３が形成されている。長穴７１３は、幅方向について一端部挟み部７１２から離れるにつれて上方に向かうように水平面に対して傾斜している。ボルト７６の頭部とナット７５とによってレールクリップ７２が裏板部７１Ｂに押し付けられている場合には、レールクリップ７２は裏板部７１Ｂに対して固定される。一方、ボルト７６の頭部とナット７５とによるレールクリップ７２の裏板部７１Ｂへの押し付けが解除されている場合には、ボルト７６が長穴７１３に沿って移動可能となる。ボルト７６が長穴７１３に沿って移動することによって、レールクリップ７２が長穴７１３に沿って移動する。レールクリップ７２が長穴７１３に沿って移動することによって、レールクリップ７２と一端部挟み部７１２との間の寸法が変更される。
【００３６】
また、ボルト７６の頭部とナット７５とによるレールクリップ７２の裏板部７１Ｂへの押し付けが解除されている場合には、裏板部７１Ｂ、ボルト７６およびナット７５の自重によって、レールクリップ７２が平板部２２の幅方向他端部に当たるまで長穴７１３に沿ってレールクリップ７２が移動する。
【００３７】
なお、図示していないが、吊り部材の支持板も、移動規制部材７Ｄの裏板部７１Ｂと同様の構成となっている。その他の構成は、実施の形態１または実施の形態２と同様である。
【００３８】
以上説明したように、この発明の実施の形態５に係るエレベーター昇降路足場装置によれば、裏板部７１Ｂには、レールクリップ７２を裏板部７１Ｂに取り付けるためのボルト７６が挿入される長穴７１３が形成され、長穴７１３は、裏板部７１Ｂの幅方向について一端部挟み部７１２から離れるにつれて上方に向かうように水平面に対して傾斜しているので、レールクリップ７２が裏板部７１Ｂに固定されていない場合に、レールクリップ７２がガイドレール２の平板部２２の幅方向端部に接触するまで、レールクリップ７２が自重により移動する。これにより、レールクリップ７２を平板部２２の幅方向他端部に容易に接触させることができる。その結果、裏板部７１Ｂがガイドレール２に固定された場合に、ガイドレール２に対する裏板部７１Ｂの幅方向への移動をより強く規制することができる。また、レールクリップ７２が長穴７１３に沿って移動することによって、平板部２２の幅方向の寸法が異なる複数のガイドレール２に対して、同一の移動規制部材７Ｄを取り付けることができる。
【００３９】
実施の形態６．
図１２はこの発明の実施の形態６に係るエレベーター昇降路足場装置の移動規制部材を示す平面図、図１３は図１２の移動規制部材が変形した状態を示す平面図である。移動規制部材７Ｅは、蝶番７７と、蝶番７７に設けられた一対の爪部７８とを有している。一対の爪部７８は、蝶番７７が変形することによって、ガイドレール２を幅方向に挟んでガイドレール２に取り付けられる取付位置と、ガイドレール２から取り外し可能となる解除位置との間で変位する。移動規制部材７Ｅは、単管パイプ５１に支持されることによって、爪部７８の位置が取付位置に維持されるようになっている。
【００４０】
なお、図示していないが、吊り部材の支持板も、移動規制部材７Ｅと同様の構成となっている。その他の構成は、実施の形態１または実施の形態２と同様である。
【００４１】
以上説明したように、この発明の実施の形態６に係るエレベーター昇降路足場装置によれば、移動規制部材７Ｅは、蝶番７７と、蝶番７７に設けられた一対の爪部７８とを有しているので、移動規制部材７Ｅをガイドレール２に容易に取り付けることができる。
【００４２】
実施の形態７．
図１４はこの発明の実施の形態７に係るエレベーター昇降路足場装置の移動規制部材を示す分解斜視図、図１５は図１４の移動規制部材が組み立てられた状態を示す図である。移動規制部材７Ｆは、ガイドレール２の幅方向における一方に対向する第１規制部７９１と、第１規制部７９１に設けられ、ガイドレール２の幅方向における他方に対向する第２規制部７９２とを有している。第１規制部７９１には、第２規制部７９２が挿入される溝７９３が形成されている。また、第２規制部７９２には、第１規制部７９１が挿入される溝７９４が形成されている。溝７９３に第２規制部７９２が挿入され、また、溝７９４に第１規制部７９１が挿入されることによって、第２規制部７９２が第１規制部７９１に対して固定される。
【００４３】
第１規制部７９１は、ガイドレール２を厚さ方向に挟むようになっている。第２規制部７９２は、第２規制部７９２が第１規制部７９１に取り付けられることによって、第１規制部７９１とともにガイドレール２を厚さ方向に挟むようになっている。また、第２規制部７９２が第１規制部７９１に取り付けられることによって、移動規制部材７Ｆは、ガイドレール２に対する水平方向の移動が規制される。その他の構成は、実施の形態１または実施の形態２と同様である。
【００４４】
以上説明したように、この発明の実施の形態７に係るエレベーター昇降路足場装置によれば、移動規制部材７Ｆは、ガイドレール２の幅方向における一方に対向する第１規制部７９１と、第１規制部７９１に設けられ、ガイドレール２の幅方向における他方に対向する第２規制部７９２とを有しているので、移動規制部材７Ｆをガイドレール２に容易に取り付けることができる。
【００４５】
なお、各上記実施の形態では、目板の頂面に吊り部材が載せられるエレベーター昇降路足場装置の構成について説明したが、かご用ガイドレールの頂面またはつり合いおもりの頂面に吊り部材６Ａまたは吊り部材６Ｂが載せられるエレベーター昇降路足場装置であってもよい。
【００４６】
また、各上記実施の形態では、手摺を備えていないエレベーター昇降路足場装置の構成について説明したが、手摺を備えたエレベーター昇降路足場装置であってもよい。この場合、手摺が足場板支持部材に含まれて、この手摺に移動規制部材７Ａ〜７Ｆが設けられてもよい。これにより、手摺および足場板の水平方向への移動を規制することができる。
【００４７】
また、各上記実施の形態では、吊り部材６Ａまたは吊り部材６Ｂが枠部６３を有する構成について説明したが、吊り部材６Ａまたは吊り部材６Ｂが枠部６３を有さない構成であってもよい。この場合、支持板６１にチェーン６４の一端部が接続される。
【符号の説明】
【００４８】
１  昇降路、２  ガイドレール、３  目板、４  足場板、５  足場板支持部材、６Ａ、６Ｂ  吊り部材、７Ａ、７Ｂ、７Ｃ、７Ｄ、７Ｅ、７Ｆ  移動規制部材、２１  ガイドレール片、２２  平板部、２３  案内板、４１  板本体、４２  爪部、５１  単管パイプ、５２  単管パイプ、５３  直交クランプ、６１  支持板、６２  レールクリップ、６３  枠部、６４  チェーン、６５  単管パイプ、６６  ボルト、７１Ａ、７１Ｂ  裏板部、７２  レールクリップ、７３  ガイド部、７４  ねじ部、７５  ナット、７６  ボルト、７７  蝶番、７８  爪部、５１１  貫通孔、６３１  単管パイプ、６３２  単管パイプ、６３３  直交クランプ、６５１  貫通孔、７１１  裏板本体、７１２  一端部挟み部、７１３長穴、７９１  第１規制部、７９２  第２規制部、７９３  溝、７９４  溝。
【図１】
0006584367.tif 000002
【図２】
0006584367.tif 000003
【図３】
0006584367.tif 000004
【図４】
0006584367.tif 000005
【図５】
0006584367.tif 000006
【図６】
0006584367.tif 000007
【図７】
0006584367.tif 000008
【図８】
0006584367.tif 000009
【図９】
0006584367.tif 000010
【図１０】
0006584367.tif 000011
【図１１】
0006584367.tif 000012
【図１２】
0006584367.tif 000013
【図１３】
0006584367.tif 000014
【図１４】
0006584367.tif 000015
【図１５】
0006584367.tif 000016